(57)【要約】【課題】多管式熱交換器型の気液接触装置において、管外を気液接触領域として、十分な気液接触効率を確保することが可能な気液接触装置及びそれを用いた省エネルギー効率の高い内部熱交換型蒸留塔を提供する。【解決手段】管外壁に沿って流下する液に直交するように気体の流れを規制するじゃま板２０を管外５に設けるとともに、じゃま板と管２の間、じゃま板とシェル内壁１ａの間の隙間から気体がショートパスしないようにする。そのために、じゃま板とシェル内壁の隙間をシールするとともに、じゃま板の貫通孔２２の直径Ｄ１を管の外径Ｄ２より１０〜４０ｍｍ大きく形成し、貫通孔２２に、直径Ｄ３が管２の外径Ｄ２と同じか又は２０ｍｍ以内の範囲で管の外径Ｄ２より小さいシール用貫通孔２４を有し、かつ、内周端側から放射線状に長さが５〜２０ｍｍの複数の切り込み２５が形成された薄板状シール部材２３を配設する。【選択図】　　　　　図１
2004037017.tif 000002
【特許請求の範囲】
【請求項１】
垂直に配設される筒状のシェルと、
筒状のシェル内にシェルの軸方向に沿って収納された複数の管と、
複数の管の上端側及び下端側をシェルと連結して、各管の管内（チューブ側）と管外（シェル側）が隔離された構造とする上側管板及び下側管板と
を備え、
管の外周面に沿って液が流下することにより、シェル側を上昇する気体と、管の外周面に沿って流下する液とが気液接触するように構成された気液接触装置であって、
（ａ）管を貫通させる貫通孔を有し、シェル内に高さ方向に所定の間隔をおいて略水平に配設され、シェル側を上昇する気体の流路を制御して、シェルの軸方向に略直交する方向に流動させ、反転を繰り返しながらジグザグ状の経路でシェル側を上昇させる複数枚のじゃま板を備え、
（ｂ）前記じゃま板の、気体を通過させるための開口領域を形成する部分を除いて、その周辺部とシェル内壁との隙間が気体を通過させないようにシールされ、（ｃ）前記じゃま板の、管を貫通させる貫通孔の直径が、管の外径より１０〜４０ｍｍ大きく、
（ｄ）前記じゃま板の貫通孔には、弾性変形可能な薄板材料からなり、直径が管の外径と同じか、又は、２０ｍｍ以内の範囲で管の外径より小さいシール用貫通孔を有し、かつ、シール用貫通孔の内周端側から放射線状に長さが５〜２０ｍｍの切り込みが複数形成された薄板状シール部材が配設され、
（ｅ）前記管をじゃま板の貫通孔及び薄板状シール部材のシール用貫通孔に貫通させて組み立てたときに、シール用貫通孔の内周部が管に当接するように構成されていること
を特徴とする気液接触装置。
【請求項２】
前記薄板状シール部材のシール用貫通孔の直径が管の外径より小さく、管が薄板状シール部材のシール用貫通孔を貫通した状態で、薄板状シール部材がシール用貫通孔の周辺部において下向きに湾曲し、漏斗状の形状となるように組み立てられていることを特徴とする請求項１記載の気液接触装置。
【請求項３】
前記管の外周面には直径が１〜５ｍｍ径の線状部材が螺旋状に巻き付けられており、前記薄板状シール部材のシール用貫通孔の内周部が、前記管の外周面及び／又は前記線状部材と当接するように構成されていることを特徴とする請求項１又は２記載の気液接触装置。
【請求項４】
請求項１〜３のいずれかに記載の気液接触装置を用いた内部熱交換型蒸留塔であって、
前記管内（チューブ側）を高圧側、前記管外（シェル側）を低圧側として操作圧力に差をつけ、操作温度を異ならせることにより、濃縮部として機能するチューブ側から、回収部として機能するシェル側に、各管の管壁を伝熱面として熱移動するように構成されていること
を特徴とする内部熱交換型蒸留塔。
【発明の詳細な説明】
【０００１】
【発明の属する技術分野】
本願発明は、吸収塔、蒸留塔などとして用いることが可能な気液接触装置及びそれを用いた内部熱交換型蒸留塔に関し、詳しくは、多管式熱交換器型の気液接触装置及びそれを用いた内部熱交換型蒸留塔に関する。
【０００２】
【従来の技術及び発明が解決しようとする課題】
気液接触装置の一つに、図５に示すように、垂直に配設された筒状のシェル５１内に、垂直に複数の管５２が挿入、配設され、複数の管５２の上端側及び下端側が上側管板５３ａ、下側管板５３ｂにより、シェル５１と連結されることにより、各管５２の管内（チューブ側）５４と管外（シェル側）５５が隔離された構造を有する多管式熱交換器型の気液接触装置がある。
【０００３】
この気液接触装置は、図５に示すように、液体を管５２の上部から管の内壁に沿って膜状に流下させ、気体を管５２の下部から液と向流に上昇させて（管５２の上部から液と並流に気体を下降させる場合もある）気液接触を管内で行わせ、気体中の有効成分を液体に吸収させる吸収装置として利用されている。それは吸収時に生じる溶解熱・反応熱の除去が、管外５５に冷却水を供給することによって容易に行えるからである。（したがって、熱の発生が伴わない吸収には、充填塔のような気液接触装置を吸収装置として使用する。）
この多管式で、管の外壁に沿って液を流下させ、管外側に気体を供給して、管外側で気液接触を行わせ、管内に冷却水を流す吸収装置は工業的には存在しない。それは一本一本の管の外側を上昇する気体の流れが一様でないため、吸収効率が悪いことによる。ただし、管が一本のみの研究用実験設備としては、管外で気液接触を行わせることはしばしばある。
【０００４】
本願発明は、上記問題点を解決するものであり、多管式熱交換器型の気液接触装置において、管外を気液接触領域として、十分な気液接触効率を確保することが可能な気液接触装置及びそれを用いた省エネルギー効率の高い内部熱交換型蒸留塔を提供することを目的とする。
【０００５】
【課題を解決するための手段】
上記目的を達成するために、発明者等は、種々検討を行い、多管式熱交換器型の気液接触装置の管外で気液接触を行わせる場合に、図１に示すように、シェル１内の管外（シェル側）５を上昇する気体の流路を制御して、気体を管２の軸方向に略直交する方向に流動させ、反転を折り返しながらジグザグ状の経路（矢印Ａで示す経路）で管外５を上昇させる複数枚のじゃま板２０を備えた構成とすることを考えた。
すなわち、図１の気液接触装置は、下側の端室１１に設けられた加熱又は冷却媒体入口１２から管内（チューブ側）４に加熱又は冷却媒体が供給され、上側の端室１３に設けられた加熱又は冷却媒体出口１４から排出される一方、シェル１の下部に設けられた気体入口１６から気体が供給され、この気体とシェル１の上部に設けられた液入口１５から供給された液とが、管外（シェル側）５で気液接触した後、シェル１の下部に設けられた液出口１７から液体が排出され、シェル１の上部に設けられた気体出口１８から気体が排出されるように構成されている。
【０００６】
このように構成された気液接触装置においては、気体がじゃま板２０の作用により、シェル１の軸方向に略直交する方向に流動し、反転を繰り返しながらジグザグ状の経路で管外（シェル側）５を上昇するため、十分な気液接触効率が得られるものと期待されたが、実際にはじゃま板２０とシェル１の内壁との間に隙間があり、また、管２の外周面と、じゃま板２０の管２を貫通させる貫通孔の内周面の間にも隙間があることから、気体がこの隙間からショートパスして、必ずしも十分な気液接触効率が得られないことがわかった。
【０００７】
発明者等は、かかる知見に基づき、じゃま板２０とシェル内壁１ａとの間の隙間や、管２の外周面とじゃま板２０の管２を貫通させる貫通孔の内周面の間の隙間からの気体のショートパスを防止するために、さらに種々の実験、検討を行って本願発明を完成した。
【０００８】
すなわち、本願発明（請求項１）の気液接触装置は、
垂直に配設される筒状のシェルと、
筒状のシェル内にシェルの軸方向に沿って収納された複数の管と、
複数の管の上端側及び下端側をシェルと連結して、各管の管内（チューブ側）と管外（シェル側）が隔離された構造とする上側管板及び下側管板と
を備え、
管の外周面に沿って液が流下することにより、シェル側を上昇する気体と、管の外周面に沿って流下する液とが気液接触するように構成された気液接触装置であって、
（ａ）管を貫通させる貫通孔を有し、シェル内に高さ方向に所定の間隔をおいて略水平に配設され、シェル側を上昇する気体の流路を制御して、シェルの軸方向に略直交する方向に流動させ、反転を繰り返しながらジグザグ状の経路でシェル側を上昇させる複数枚のじゃま板を備え、
（ｂ）前記じゃま板の、気体を通過させるための開口領域を形成する部分を除いて、その周辺部とシェル内壁との隙間が気体を通過させないようにシールされ、（ｃ）前記じゃま板の、管を貫通させる貫通孔の直径が、管の外径より１０〜４０ｍｍ大きく、
（ｄ）前記じゃま板の貫通孔には、弾性変形可能な薄板材料からなり、直径が管の外径と同じか、又は、２０ｍｍ以内の範囲で管の外径より小さいシール用貫通孔を有し、かつ、シール用貫通孔の内周端側から放射線状に長さが５〜２０ｍｍの切り込みが複数形成された薄板状シール部材が配設され、
（ｅ）前記管をじゃま板の貫通孔及び薄板状シール部材のシール用貫通孔に貫通させて組み立てたときに、シール用貫通孔の内周部が管に当接するように構成されていること
を特徴としている。
【０００９】
シェル側を上昇する気体の流路を制御して、気体をシェルの軸方向に略直交する方向に流動させ、反転を繰り返しながらジグザグ状の経路でシェル側を上昇させる複数枚のじゃま板をシェル内に配設し、気体を通過させるための開口領域を形成する部分を除いて、その周辺部とシェル内壁との隙間を、気体が通過しないようにシールすることにより、気体が管の軸方向に略直交する方向に流動し、反転を繰り返しながらジグザグ状の経路でシェル側を上昇させることが可能になる。
【００１０】
また、じゃま板の、管を貫通させる貫通孔の直径を、管の外径より１０〜４０ｍｍ大きく形成するとともに、この貫通孔に、弾性変形可能な薄板材料からなり、直径が管の外径と同じか、又は、２０ｍｍ以内の範囲で管の外径より小さいシール用貫通孔を有し、かつ、シール用貫通孔の内周端側から放射線状に長さが５〜２０ｍｍの切り込みが複数形成された薄板状シール部材を配設することにより、管をじゃま板の貫通孔及び薄板状シール部材のシール用貫通孔に貫通させて組み立てたときに、シール用貫通孔の内周部を確実に管に当接させることが可能になり、管の外周面とじゃま板の貫通孔の間の隙間を薄膜シール部材により塞ぐとともに、シール用貫通孔の内周部と管の間の隙間及び薄膜シール部材に形成された切り込みを、管の外周面を流下する液によりシールすることが可能になり、気体のショートパスを確実に防止することが可能になる。その結果、気体を確実に所定のジグザグ状の経路でシェル側を上昇させることが可能になり、気液接触効率を向上させることが可能になる。
【００１１】
薄板状シール部材としては、金属薄板を加工したものや、耐熱性や耐食性を備えた樹脂製の薄板を加工したもの、複合材料からなる薄板を加工したものなど、種々のものを用いることが可能であり、その材質や具体的な構成に特別の制約はない。
【００１２】
また、じゃま板への薄板状シール部材の取り付け方法（構造）としては、例えば、じゃま板を２層構造として、層間に薄板状シール部材を挟み込む方法、薄板状シール部材を溶接によりじゃま板に固定する方法、ボルトなどの治具により薄板状シール部材をじゃま板に固定する方法など種々の方法を適用することが可能である。
【００１３】
また、薄板状シール部材は複数枚重ねて使用してもよく、その場合に、各薄板状シール部材において切り込みの形成位置が重ならないよう、切り込みの位置をずらせることにより、さらに確実に気体がショートパスすることを防止できるようになる。
【００１４】
なお、本願発明の気液接触装置においては、上昇気体が流下する液に吸収され、上方に行くにつれて気体の量が減少するような場合（例えば吸収装置として用いられる場合）には、じゃま板の間隔を塔頂に向かって、徐々に小さくしてゆくことが望ましい。
【００１５】
また、請求項２の気液接触装置は、前記薄板状シール部材のシール用貫通孔の直径が管の外径より小さく、管が薄板状シール部材のシール用貫通孔を貫通した状態で、薄板状シール部材がシール用貫通孔の周辺部において下向きに湾曲し、漏斗状の形状となるように組み立てられていることを特徴としている。
【００１６】
薄板状シール部材のシール用貫通孔の直径を管の外径より小さくし、管が薄板状シール部材のシール用貫通孔を貫通した状態で、薄板状シール部材がシール用貫通孔の周辺部において下向きに湾曲し、漏斗状の形状となるようにした場合、薄板状シール部材のシール用貫通孔周辺の、湾曲して漏斗状になった部分に液が溜まり、管の外周面とシール用貫通孔との隙間や、シール用貫通孔の内周端側から放射線状に複数形成された切り込みなどが液により確実にシールされるため、本願発明をさらに実効あらしめることが可能になる。
【００１７】
また、請求項３の気液接触装置は、前記管の外周面には直径が１〜５ｍｍ径の線状部材が螺旋状に巻き付けられており、前記薄板状シール部材のシール用貫通孔の内周部が、前記管の外周面及び／又は前記線状部材と当接するように構成されていることを特徴としている。
【００１８】
管の外周面に、直径が１〜５ｍｍ径の線状部材を螺旋状に巻き付けるようにした場合、
（１）管の外周面を垂直方向に流下する液が水平方向（周方向）にも流れ広がるため、液を管の外周面に効率よく分散させることが可能になるとともに、
（２）流下液体の滞留時間を増大させることが可能になり、さらに、
（３）気液接触面積を増大させることが可能になる
ことから、気液接触効率を大幅に向上させることが可能になる。
なお、線状部材としては、例えば、銅製やステンレス製で断面が円形の線材（いわゆる針金）などを好適に用いることが可能であるが、線状部材はこれに限らず、断面形状が方形のものなど種々のものを用いることが可能である。
【００１９】
また、本願発明（請求項４）の内部熱交換型蒸留塔は、
請求項１〜３のいずれかに記載の気液接触装置を用いた内部熱交換型蒸留塔であって、
前記管内（チューブ側）を高圧側、前記管外（シェル側）を低圧側として操作圧力に差をつけ、操作温度を異ならせることにより、濃縮部として機能するチューブ側から、回収部として機能するシェル側に、各管の管壁を伝熱面として熱移動するように構成されていること
を特徴としている。
【００２０】
請求項１〜３のいずれかに記載の気液接触装置を用いることにより、気液の接触効率を向上させることが可能になるとともに、液膜の厚みを薄くして少ない液量で管の外周面（回収部側管壁）全体に効率よく液をゆき渡らせることが可能になり、濃縮部側から回収部側への熱移動効率を向上させて、省エネルギー効率を改善することが可能になる。
【００２１】
内部熱交換型蒸留塔において、濃縮部側から回収部側への熱移動を効率よく行わせるためには、濃縮部と回収部とを隔てる管の外周面（回収部側管壁）に還流液をゆき渡らせることが重要である。
すなわち、蒸留塔内の回収部側には、回収部側よりも高温の濃縮部側から熱が移動するので、回収部側管壁（管の外周面）は受熱面となる。そして、この回収部管壁（管の外周面）に還流液が存在することにより、受熱した熱量が液の蒸発に使用され、受熱面で液が蒸発して上昇蒸気となり、効率よく蒸留作用が行われることになる。しかし、液が回収部側管壁に存在しなければ、熱の移動は実質的に行われず、回収部側管壁が受熱面（伝熱面）として有効に機能しなくなり、伝熱面積がそれだけ減少したのと同じことになる。その結果、内部熱交換量が少なくなり、省エネルギー効果もそれだけ小さくなる。
【００２２】
このような内部熱交換型蒸留塔に本願発明の気液接触装置を用いることにより、液を確実に分散させて管の外周面（回収部側管壁）全体に液を確実にゆき渡らせることが可能になり、濃縮部側から回収部側への熱移動を効率よく行わせて、省エネルギー効率を大幅に向上させることが可能になる。
また、内部熱交換型蒸留塔においては、全体のバランスから、回収部に供給される液（還流液）の量には制約があり、限られた液量で、管の外周面（回収部側管壁）全体に液をゆき渡らせることが必要になるが、本願発明によれば、少ない液量でも効率よく管の外周面（回収部側管壁）全体に液をゆき渡らせることが可能になるため、濃縮部側から回収部側への熱移動効率を確実に向上させることが可能になり、有意義である。
【００２３】
【発明の実施の形態】
以下、本願発明の実施の形態を示して、その特徴とするところを詳しく説明する。
図１は本願発明の一実施形態にかかる気液接触装置の構成を示す正面断面図である。
【００２４】
この実施形態の気液接触装置は、垂直に配設された筒状のシェル１内に、垂直に複数の管２が挿入、配設され、各管２の上端側及び下端側が上側管板３ａ、下側管板３ｂにより、シェル１と連結されることにより、各管２の管内（チューブ側）４と管外（シェル側）５が隔離された構造を有している。
さらに、この気液接触装置においては、下側の端室１１に加熱又は冷却媒体を管内に供給するための媒体入口１２が設けられ、上側の端室１３に加熱又は冷却媒体が排出される媒体出口１４が設けられている。
また、シェル１の上部には、管外５に液を供給するための液入口１５及び気体出口１８が設けられ、シェル１の下部には気体入口１６及び液出口１７が設けられている。また、管外（シェル側）５の上部には、液分散具１９が配設されている。
【００２５】
そして、この実施形態の気液接触装置においては、管外（シェル側）５を上昇する気体の流路を制御して、気体を管２の軸方向に略直交する方向に流動させ、反転を折り返しながら、ジグザグ状の経路（矢印Ａで示す経路）で管外（シェル側）５を上昇させる複数枚のじゃま板２０がシェル１内に、高さ方向の所定の間隔をおいて配設されている。また、各じゃま板２０の、気体を上方に流すための開口領域２１を形成する部分を除いて、じゃま板２０の周辺部とシェル内壁１ａとの間の隙間は気体が通過（ショートパス）しないようにシールされている。
【００２６】
また、図２（ａ），（ｂ）に示すように、じゃま板２０の、管２を貫通させる貫通孔２２の直径Ｄ１は、管２の外径Ｄ２より１０〜４０ｍｍ大きく形成されている。また、この貫通孔２２には、弾性変形可能な薄板材料（この実施形態ではステンレス製の薄板）からなり、直径Ｄ３（図３）が管２の外径Ｄ２よりも約１０ｍｍ小さいシール用貫通孔２４が形成され、かつ、シール用貫通孔２４の内周端側から放射線状に長さが５〜２０ｍｍの切り込み２５が複数形成された薄板状シール部材２３が配設されている。なお、図２（ａ），（ｂ）において薄板状シール部材２３のシール用貫通孔２４の周囲部分が湾曲した状態を示しているが、本願発明でいうシール用貫通孔２４の直径Ｄ３は、図３に示すように、周囲部分が湾曲していない状態におけるシール用貫通孔２４の直径をいう。
【００２７】
また、管２の外周面には直径が１〜５ｍｍ径の線状部材（この実施形態では外径が３ｍｍのステンレス製の針金）３１が螺旋状に１０ｍｍのピッチで巻き付けられており、薄板状シール部材２３のシール用貫通孔２４の内周部が、管２の外周面又は線状部材３１と当接するように構成されている。
【００２８】
上述のように構成されたこの実施形態の気液接触装置にあっては、図２（ａ），（ｂ）に示すように、管２をじゃま板２０の貫通孔２２及び薄板状シール部材２３のシール用貫通孔２４に貫通させて組み立てたときに、シール用貫通孔２４の内周部が管２の外周面及び／又は線状部材３１に当接し、下側に湾曲して漏斗状の形状となる。そして、この漏斗状となった部分に管２の外周面を流下する液が溜まり、管２の外周面及び／又は線状部材３１と薄板状シール部材２３のシール用貫通孔２４の内周部との間の隙間及び切り込み２５が液によりシールされる。
【００２９】
その結果、気体が管２の外周面及び／又は線状部材３１と薄板状シール部材２３のシール用貫通孔２４の内周部との隙間及び切り込み２５からショートパスすることを防止して、気体を、確実に所定のジグザグ状の経路で管外（シェル側）５を上昇させることが可能になり、気液接触効率を向上させることが可能になる。
【００３０】
また、管２の外周面には、直径が１〜５ｍｍ径の線状部材３１を螺旋状に巻き付けているので、管２の外周面を垂直方向に流下する液が水平方向（周方向）にも流れ広がるため、液を管２の外周面に効率よく分散させることが可能になるとともに、流下液体の滞留時間を増大させることが可能になり、さらに、気液接触面積を増大させることが可能になることから、気液接触効率を大幅に向上させることが可能になる。
【００３１】
なお、上述のように構成されたこの実施形態の気液接触装置は、ＨＣｌの製造（ＨＣｌの水による吸収）、ベンゼンの塩素化などの気液反応に多量の発熱を伴う場合の吸収装置などに好適に用いることが可能である。
【００３２】
なお、上述のように構成された気液接触装置の管外を蒸留塔として用いた場合における液流量とＮＴＳＭの関係を図４に示す。
図４に示すように、ＮＴＳＭの値は現行蒸留塔と略同等であり、この実施形態の気液接触装置の管外が蒸留塔としても十分実用的に機能することがわかる。
【００３３】
また、この実施形態の気液接触装置は、管内（チューブ側）を高圧側、管外（シェル側）を低圧側として操作圧力に差をつけ、操作温度を異ならせることにより、濃縮部として機能するチューブ側（高圧側）から、回収部として機能するシェル側（低圧側）に、各管の管壁を伝熱面として熱移動するように構成された内部熱交換型蒸留塔として好適に用いることが可能である。その場合、気液接触効率を向上させることが可能になるとともに、液膜の厚みを薄くして少ない液量で管の外周面全体に効率よく液をゆき渡らせることが可能になり、濃縮部側から回収部側への熱移動効率を向上させて、省エネルギー効率を改善することが可能になる。
【００３４】
なお、本願発明は上記実施形態に限定されるものではなく、発明の範囲内において、種々の応用、変形を加えることが可能である。
【００３５】
【発明の効果】
上述のように、本願発明（請求項１）の気液接触装置は、シェル側を上昇する気体の流路を制御して、気体をシェルの軸方向に略直交する方向に流動させ、反転を繰り返しながらジグザグ状の経路でシェル側を上昇させる複数枚のじゃま板をシェル内に配設し、気体を通過させるための開口領域を形成する部分を除いて、その周辺部とシェル内壁との隙間を、気体が通過しないようにシールするようにしているので、気体が管の軸方向に略直交する方向に流動し、反転を繰り返しながらジグザグ状の経路でシェル側を上昇させることが可能になる。
【００３６】
また、じゃま板の、管を貫通させる貫通孔の直径を、管の外径より１０〜４０ｍｍ大きく形成するとともに、この貫通孔に、弾性変形可能な薄板材料からなり、直径が管の外径と同じか、又は、２０ｍｍ以内の範囲で管の外径より小さいシール用貫通孔を有し、かつ、シール用貫通孔の内周端側から放射線状に長さが５〜２０ｍｍの切り込みが複数形成された薄板状シール部材を配設するようにしているので、管をじゃま板の貫通孔及び薄板状シール部材のシール用貫通孔に貫通させて組み立てたときに、シール用貫通孔の内周部を確実に管に当接させることが可能になり、管の外周面とじゃま板の貫通孔の間の隙間を薄膜シール部材により塞ぐとともに、シール用貫通孔の内周部と管の間の隙間及び薄膜シール部材に形成された切り込みを、管の外周面を流下する液によりシールすることが可能になり、気体のショートパスを確実に防止することが可能になる。その結果、気体を確実に所定のジグザグ状の経路でシェル側を上昇させることが可能になり、気液接触効率を向上させることが可能になる。
【００３７】
また、請求項２の気液接触装置のように、薄板状シール部材のシール用貫通孔の直径を管の外径より小さくし、管が薄板状シール部材のシール用貫通孔を貫通した状態で、薄板状シール部材がシール用貫通孔の周辺部において下向きに湾曲し、漏斗状の形状となるようにした場合、薄板状シール部材のシール用貫通孔周辺の、湾曲して漏斗状になった部分に液が溜まり、管の外周面とシール用貫通孔との隙間や、シール用貫通孔の内周端側から放射線状に複数形成された切り込みなどが液により確実にシールされるため、本願発明をさらに実効あらしめることが可能になる。
【００３８】
また、請求項３の気液接触装置のように、管の外周面に、直径が１〜５ｍｍ径の線状部材を螺旋状に巻き付けるようにした場合、管の外周面を垂直方向に流下する液が水平方向（周方向）にも流れ広がるため、液を管の外周面に効率よく分散させることが可能になるとともに、流下液体の滞留時間を増大させることが可能になり、さらに、気液接触面積を増大させることが可能になることから、気液接触効率を大幅に向上させることができる。
【００３９】
また、本願発明（請求項４）のように、本願発明の気液接触装置を、内部熱交換型蒸留塔に用いることにより、気液の接触効率を向上させることが可能になるとともに、液膜の厚みを薄くして少ない液量で管の外周面（回収部側管壁）全体に効率よく液をゆき渡らせることが可能になり、濃縮部側から回収部側への熱移動効率を向上させて、省エネルギー効率を改善することが可能になる。
【図面の簡単な説明】
【図１】本願発明の一実施形態にかかる気液接触装置の構成を示す正面断面図である。
【図２】本願発明の一実施形態にかかる気液接触装置の要部を示す図であり、（ａ）は平面図、（ｂ）は正面断面図である。
【図３】薄板状シール部材のシー−ル用貫通孔の周囲部分が湾曲していない状態を示す正面断面図である。
【図４】本願発明の一実施形態にかかる気液接触装置を蒸留塔として用いた場合における液流量とＮＴＳＭの関係を示す図である。
【図５】従来の気液接触装置の構成を示す図である。
【符号の説明】
１　　　シェル
１ａ　　シェル内壁
２　　　管
３ａ　　上側管板
３ｂ　　下側管板
４　　　管内（チューブ側）
５　　　管外（シェル側）
１１　　下側の端室
１２　　媒体入口
１３　　上側の端室
１４　　媒体出口
１５　　液入口
１６　　気体入口
１７　　液出口
１８　　気体出口
１９　　液分散具
２０　　じゃま板
２１　　気体を上方に流すための開口領域
２２　　じゃま板の貫通孔
２３　　薄膜状シール部材
２４　　シール用貫通孔
２５　　シール用貫通孔に形成された放射線状の切り込み
３１　　線状部材
Ａ　　　気体の流動経路
Ｄ１　　じゃま板の貫通孔の直径
Ｄ２　　管の外径
Ｄ３　　シール用貫通孔の外径
【図１】
2004037017.tif 000003
【図２】
2004037017.tif 000004
【図３】
2004037017.tif 000005
【図４】
2004037017.tif 000006
【図５】
2004037017.tif 000007